(57)【要約】【課題】黒表示領域の照度を低下させる一方、画像の明るさ低下を回避できるようにした画像投射光学系を提供する。【解決手段】画像投射光学系は、画像形成領域のうち第１の領域３ｂを黒表示のための状態に固定して第２の領域３ｃで画像を形成する画像形成素子３と、該画像形成素子からの光を被投射面Ｓに投射する投射レンズ４と、投射レンズ内若しくは該投射レンズよりも被投射面側に配置され、第１の領域からの光を遮る遮光部材５とを有する。【選択図】図１
2007212734.tif 000002
【特許請求の範囲】
【請求項１】
画像形成領域のうち第１の領域を黒表示のための状態に固定して第２の領域で画像を形成する画像形成素子と、
該画像形成素子からの光を被投射面に投射する投射レンズと、
前記投射レンズ内若しくは該投射レンズよりも被投射面側に配置され、第１の領域からの光を遮る遮光部材とを有することを特徴とする画像投射光学系。
【請求項２】
前記第１の領域は、前記第２の領域に対して第１の方向に形成されており、
前記第１の方向での角度分布が該第１の方向に直交する第２の方向での角度分布よりも小さい光束を前記画像形成素子に導く照明光学系を有することを特徴とする請求項１に記載の画像投射光学系。
【請求項３】
前記第１の方向は、前記画像形成領域の短辺方向であることを特徴とする請求項２に記載の画像投射光学系。
【請求項４】
前記投射レンズは、該投射レンズの瞳位置よりも被投射面側において、該瞳位置に最も近いレンズエレメントを含み、該投射レンズの広角端の焦点距離の５倍以下の合成焦点距離を有する複数のレンズエレメントを有し、
前記遮光部材は、前記複数のレンズエレメントよりも被投射面側に配置されていることを特徴とする請求項１から３のいずれか１つに記載の画像投射光学系。
【請求項５】
前記遮光部材は、前記投射レンズの瞳位置よりも被投射面側であって、該瞳位置との間に少なくとも１つのレンズエレメントが配置される位置に設けられていることを特徴とする請求項１から３のいずれか１つに記載の画像投射光学系。
【請求項６】
前記投射レンズは変倍機能を有し、
変倍に応じて前記遮光部材の前記第１の方向での開口幅が変更されることを特徴とする請求項１から５のいずれか１つに記載の画像表示光学系。
【請求項７】
前記第１の領域を黒表示のための状態に固定して前記第２の領域で画像を形成する第１のモードと、前記第１および第２の領域で画像を形成する第２のモードとに切り替えが可能であり、
前記遮光部材の前記第１の方向での開口幅が、前記第１のモードと前記第２のモードとで変更可能であることを特徴とする請求項１から６のいずれか１つに記載の画像投射光学系。
【請求項８】
前記遮光部材は、前記投射レンズに対して着脱が可能であることを特徴とする請求項１から７のいずれか１つに記載の画像投射光学系。
【請求項９】
請求項１から８のいずれか１つに記載の画像投射光学系を有することを特徴とする画像投射装置。
【請求項１０】
請求項９に記載の画像投射装置と、
該画像投射装置に画像情報を供給する画像供給装置とを有することを特徴とする画像表示システム。
【請求項１１】
画像形成領域のうち第１の領域を黒表示のための状態に固定して第２の領域で画像を形成する画像形成素子と、該画像形成素子からの光を被投射面に投射する投射レンズとを有する画像投射装置の前記投射レンズに対して着脱可能な遮光部材であって、
前記投射レンズに装着された状態で、前記第１の領域からの光を遮ることを特徴とする遮光部材。
【発明の詳細な説明】
【技術分野】
【０００１】
本発明は、液晶プロジェクタ等の画像投射装置に用いられる光学系に関し、特に液晶パネル等の画像形成素子（光変調素子）における画像形成領域のうち一部を使って画像を表示する画像投射装置の光学系に関する。
【背景技術】
【０００２】
画像投射装置では、高輝度化とともに高コントラスト化が進んでおり、画像のコントラストを向上させるために、光学系内に絞りが配置される場合がある。
【０００３】
例えば、特許文献１，２には、光源からの光束を液晶パネルに導く照明光学系内に絞りを配置した画像投射装置が開示されている。
【０００４】
特許文献１では、光源からの光束を複数に分割して各分割光束に２次光源像を形成させた後、液晶パネル上で該複数の光束を重ね合わせる照明光学系において、該２次光源像の近傍に絞りを配置している。これにより、入射角度特性に敏感な偏光ビームスプリッタ等の光学素子に入射する光束の角度分布を狭め、コントラストを改善している。
【０００５】
また、特許文献２では、液晶パネルのコントラスト視野角特性の方位に対応して照明光学系のＦナンバーを異ならせるための開口絞りを設けている。これにより、パネルの視野角特性に起因するコントラスト低下を抑えている。
【０００６】
これらの絞りは、黒表示時における漏れ光成分を減少させてコントラストを高めるための絞りである。
【０００７】
一方、特許文献３には、複数の画像をつなぎ合わせて１つの大画面画像を投射する場合に、該複数の画像の境界部での光量を制御するための絞りを投射レンズ内に有する画像投射装置が開示されている。具体的には、投射レンズの内部に可変絞りを設け、各画像の周辺部の光量を調整し、画像境界部における光量分布を連続的なものとしている。
【０００８】
ところで、画像投射装置には、液晶パネルの短辺方向両端の領域を黒表示を行うための状態に固定し、その間の領域で画像形成（光変調）を行うことにより、通常の４：３の画像よりも横長（例えば、１６：９）の画像を表示するモードを有するものがある。このような横長画像における上下の比較的大きな黒表示領域への漏れ光の到達量が多いと、該黒表示領域の明るさが目立ち、画像全体としてのコントラスト感が低下する。
【特許文献１】特開０５−３０３０８５号公報（段落００１５、図４等）
【特許文献２】特開２００３−３０２６１８号公報（段落００４７，００５９〜００６０、図１等）
【特許文献３】特開平５−１９３４６号公報（段落００１２、図１等）
【発明の開示】
【発明が解決しようとする課題】
【０００９】
これを改善するために、特許文献１，２に開示された照明光学系内の絞りの形状を工夫して、液晶パネルの短辺方向両端領域に入射する光束を制限する方法が考えられる。しかしながら、特許文献１，２に開示された絞り位置では、液晶パネル全体に入射する光量が低下し、投射画像全体の光量が落ちる。
【００１０】
また、特許文献３にて開示されている投射レンズ内の絞りは、投射光軸を中心とした画像の周辺領域全体の光量を減少させる絞りである。このため、矩形画像の短辺方向両端領域の光量を減少させるだけでなく、長辺方向の両端領域、すなわち本来明るく表示されるべき画像領域の光量も減少させてしまう。
【００１１】
本発明は、黒表示領域の照度を低下させる一方、画像の明るさ低下を回避できるようにした画像投射光学系およびこれを備えた画像投射装置を提供することを目的の１つとしている。
【課題を解決するための手段】
【００１２】
本発明の一側面としての画像投射光学系は、画像形成領域のうち第１の領域を黒表示のための状態に固定して第２の領域で画像を形成する画像形成素子と、該画像形成素子からの光を被投射面に投射する投射レンズと、投射レンズ内若しくは該投射レンズよりも被投射面側に配置され、第１の領域からの光を遮る遮光部材とを有することを特徴とする。
【００１３】
なお、上記画像投射光学系を備えた画像投射装置、および投射レンズに対して着脱可能な上記遮光部材も本発明の他の側面を構成する。
【発明の効果】
【００１４】
本発明によれば、画面内の黒表示領域の照度を低下させつつ、投射画像の明るさ低下を回避することができる。したがって、黒表示領域に接する投射画像のコントラストを向上させることができる。
【発明を実施するための最良の形態】
【００１５】
以下、本発明の実施例について図面を参照しながら説明する。
【実施例１】
【００１６】
図１には、本発明の実施例１である画像投射装置としての液晶プロジェクタの光学系（画像投射光学系）を示している。本実施例の光学系は、光源１と、照明光学系２と、色分解合成光学系（図５，６参照）と、画像形成素子又は光変調素子としての反射型液晶パネル３と、投射レンズ４とを有する。
【００１７】
光源１は、高圧水銀灯等の発光管１ａと、該発光管１ａから発せられた光束を反射して平行光束に変換するリフレクタ１ｂとにより構成されている。
【００１８】
照明光学系２は、図５および図６に示すように構成されている。図５は照明光学系２のｘｚ断面を、図６はｙｚ断面を示している。ｚ軸は照明光学系２の光軸を示す。
【００１９】
光源１からの平行光束は、図７に斜視図を示す第１シリンドリカルレンズアレイ２３によってｘｚ断面において複数の光束に分割され、各分割光束は第２シリンドリカルレンズアレイ２４の近傍に集光されて２次光源像を形成する。これらのシリンドリカルレンズアレイ２３，２４は、ｘｚ断面においてのみ屈折力を有するため、ｙｚ断面においては光束に実質的に影響を与えない。
【００２０】
２５はアフォーカル光学系としての圧縮光学系であり、ｙｚ断面において光束幅を狭めつつ、平行光束として射出させる。圧縮光学系２５からの平行光束は、第３シリンドリカルレンズアレイ２６によってｙｚ断面において複数の光束に分割され、各分割光束は第４シリンドリカルレンズアレイ２７の近傍に集光されて２次光源像を形成する。これらの光束圧縮系２５およびシリンドリカルレンズアレイ２６，２７は、ｙｚ断面においてのみ屈折力を有するため、ｘｚ断面においては光束に実質的に影響を与えない。
【００２１】
第４シリンドリカルレンズアレイ２７から射出した複数の光束は、ｘｚ断面およびｙｚ断面において屈折力を有するコンデンサーレンズ２８と、ｙｚ断面において屈折力を有するシリンドリカルレンズ２９とによってそれぞれの断面内で集光される。そして、色分解合成光学系３０を経て反射型液晶パネル３上にて重ね合わされる。ここで、ｘｚ断面は反射型液晶パネル３の長辺に平行な断面であり、該長辺に平行な方向を以下、長辺方向という。また、ｙｚ断面は液晶パネル３の短辺に平行な断面であり、該短辺に平行な方向を以下、短辺方向という。
【００２２】
また、図１、図５および図６には、液晶パネル３を１つしか示していないが、実際には赤（Ｒ）、緑（Ｇ）および青（Ｂ）のそれぞれの色光に対して１つずつの計３つが設けられている。
【００２３】
液晶駆動回路５０には、パーソナルコンピュータ、ＤＶＤプレーヤ、テレビチューナ等の画像供給装置６０が接続されている。液晶駆動回路５０は、画像供給装置６０から入力された画像（映像）情報に基づいて各反射型液晶パネル３を駆動し、これに原画を形成させる。これにより、３つの反射型液晶パネル３にそれぞれ入射した３つの色光は、該液晶パネル３で反射されるとともに原画に応じて変調（画像変調）される。
【００２４】
３つの反射型液晶パネル３からの光束は、色分解合成光学系３０により合成されて投射レンズ４に導かれ、図１に示すように、スクリーン等の被投射面Ｓに投射される。
【００２５】
本実施例では、投射レンズ４の前端部（投射レンズ４よりも被投射面側）に、遮光部材５が取り外し可能に装着されている。この遮光部材５は、後述する１６：９モードで投射レンズ４に装着され、４：３モードでは取り外される。
【００２６】
本実施例のプロジェクタは、４：３モードと１６：９モードとに切り替えが可能である。４：３モードでは、液晶パネル３において液晶層が設けられた領域である画像形成領域（光変調領域と言ってもよい）の全体からの光束を被投射面Ｓに投射して４：３のアスペクト比を有する画像を表示する。また、１６：９モードでは、長辺方向（水平方向：ｘ方向）の画面幅は４：３モードと同じとしたまま、短辺方向（上下方向）の画面幅を４：３モードよりも縮小したアスペクト比１６：９の画像を表示する。この切り替えは、使用者によるモードスイッチ７０の操作に応じた液晶駆動回路５０による液晶パネル３の制御で行われる。
【００２７】
図１の点線Ａ内には、投射画像（画面）を投射レンズ側である正面から見た様子を示す。６は４：３モードでのアスペクト比が４：３の画像である。また、７は１６：９モードでのアスペクト比が１６：９の投射画像である。
【００２８】
１６：９モードでは、３つの液晶パネル３の画像形成領域のうち上下方向両側の所定幅の領域（第１の領域：以下、黒表示範囲という）が黒表示のための状態に固定される。図１の点線Ｃ内は、液晶パネル３の正面図を示している。３ａは矩形の画像形成領域であり、３ｂはその上下方向両側にある黒表示領域である。３ｃは上下の黒表示領域３ｂの間において１６：９の画像の原画を形成する領域（第２の領域：以下、画像表示領域という）である。これら黒表示領域３ｂと画像表示領域３ｃとは、画像形成領域の短辺方向に境界を有して互いに接している。
【００２９】
液晶パネル３の黒表示状態は、液晶パネル３から射出した光が色分解合成光学系３０内の偏光分離面等で投射光から除かれる偏光方向を持つように液晶の方向を設定した状態である。黒表示状態は、液晶パネル３に入射した光を画像変調しない非変調状態と言うこともできる。
【００３０】
１６：９モードでは、液晶パネル３の黒表示領域３ｂに入射した光は画像変調されずに反射および射出して色分解合成光学系３０内で投射光から除かれる。一方、該画像表示領域３ｃに入射した光は画像変調され、色分解合成光学系３０を介して投射光として被投射面Ｓに投射される。
【００３１】
但し、液晶パネル３の黒表示領域３ｂからの射出光のうち一部は、色分解合成光学系３０内の偏光分離面の入射角度特性等によって投射光に漏れ光として含まれることになる。このため、遮光部材５は、１６：９モードにおいて、投射レンズ４から射出した光束のうち液晶パネル３の黒表示領域３ｂからの漏れ光を遮る。
【００３２】
図１の点線Ｂ内には、遮光部材５の形状を示している。前述しように、ｘ方向は液晶パネル３および投射画像の長辺方向、ｙ方向は液晶パネル３および投射画像の短辺方向である。また、ｚ方向はｘ、ｙ方向と直交する方向であり、図１では投射レンズ４の光軸方向でもある。
【００３３】
遮光部材５の開口形状は、ｘ方向の開口幅がｙ方向の開口幅よりも広い形状となっている。さらに言えば、遮光部材５のｘ方向の開口幅は、１６：９モードにおける液晶パネル３の画像表示領域３ｃからの光束のみを通すために、４：３モードにおいて液晶パネル３から被投射面Ｓに向かう光束のｘ方向幅より小さい。また、遮光部材５のｙ方向の開口幅は、４：３モードにおける液晶パネル３からの光束のｙ方向幅以上に設定されている。これにより、遮光部材５は、１６：９モードにおける液晶パネル３の黒表示領域３ｂからの光を遮るが、画像表示領域３ｃからの光は遮らないという機能を有する。
【００３４】
なお、図５に示すように、遮光部材５の開口は、その中心が投射レンズ４の光軸ＡＸＬよりも上方にシフトした位置に形成されている。プロジェクタは通常机の上に置かれた状態で使用されるため、投射レンズ４からの投射光が机によってけられないように、投射レンズ４の光軸ＡＸＬを照明光学系から色分解合成光学系までの光軸に対して上方にシフトさせている。このため、液晶パネル３からの光は、投射レンズ４を通って斜め上方に画像を投射するように進む。したがって、遮光部材５の開口を投射レンズ４の光軸ＡＸＬに対して上方にシフトさせておくことで、丁度、液晶パネル３の上下の黒表示領域３ｂからの光をカットすることができる。
【００３５】
また、前述した本実施例の照明光学系２は、液晶パネル３に入射する光束の角度分布に関して、ｙ方向の入射角度分布がｘ方向の入射角度分布よりも小さいことを特徴とする。これは、図２に示すように、照明光学系２の瞳８を、ｙ方向の長さがｘ方向の長さよりも短い形状とすることによって実現している。これにより、光源からの光束を効率良く利用し、かつ均一な明るさ分布で液晶パネル３を照明することができる。
【００３６】
図３には、ｙｚ断面における液晶パネル３から被投射面Ｓまでの光路を示している。９は４：３の投射画像の短辺を示している。１０は１６：９の投射画像の短辺を示している。１１，１２は１６：９モードで形成される被投射面Ｓ上での黒表示領域である。この図に示すように、１６：９モードでは、液晶パネル３から被投射面Ｓに至る光束のうち液晶パネル３の黒表示領域３ｂからの光束が遮光部材５によりカットされる。そして、図２で示したように、１６：９の投射画像とその上下の黒表示領域１１，１２との境界を明瞭に分けることができる。液晶パネル３への照明光のｙ方向での入射角度分布がｘ方向よりも小さいことと、ｙ方向で光束をカットする遮光部材５を設けたこととによって、このように黒表示領域１１、１２をより黒く表示することができている。
【００３７】
図４には、その効果を説明するため、１６：９モードにおける投射画像の短辺方向（ｙ方向）での照度分布を示している。図４のグラフは、点線内に示すように、投射画像１０の中心を通るライン上での上下方向での照度分布を示す。グラフの縦軸は、ｙ方向を、横軸は照度を示している。
【００３８】
点線グラフで示すように、遮光部材５を設けない場合は、液晶パネル３の黒表示領域３ｂから被投射面Ｓ上の黒表示領域１１，１２に至る漏れ光があるために、該黒表示領域１１，１２の照度がある程度高くなっている。これに対し、実線グラフで示すように、遮光部材５を設けた場合には、液晶パネル３の黒表示領域３ｂから被投射面Ｓ上の黒表示領域１１，１２に至る漏れ光がカットされるために、該黒表示領域１１，１２の照度は十分低くなっている。これにより、投射画像のコントラストを改善することができる。
【実施例２】
【００３９】
図８には、本発明の実施例２である遮光部材を示している。本実施例の遮光部材１５は、投射レンズ４の前端部（投射レンズ４よりも被投射面側）に固定されている。
【００４０】
本実施例の遮光部材１５は、ｙ方向の開口幅を変更可能に構成されている。具体的には、遮光部材１５の上下の部分を構成する遮光板１５ａ，１５ｂが上下方向に移動可能になっている。
【００４１】
４：３モードでは、遮光板１５ａ，１５ｂを開き方向に移動させ、液晶パネル３の画像形成領域３ａ全体からの光束を遮らない位置まで開口幅を広げる。一方、１６：９モードでは、遮光板１５ａ，１５ｂを閉じ方向に移動させ、液晶パネル３の黒表示領域３ｂからの光束を遮る位置まで開口幅を狭める。
【００４２】
本実施例によれば、モードの切り替えに伴って遮光部材１５の開口幅を適切に設定できるので、遮光部材１５を投射レンズ４に対して着脱する必要をなくすることができる。
【実施例３】
【００４３】
図９には、本発明の実施例３である液晶プロジェクタの構成を示している。本実施例では、実施例２で説明した遮光部材１５を開閉用アクチュエータ（以下、開閉モータという）１６によって開閉駆動できるようにしている。また、本実施例のプロジェクタでは、投射レンズ４が電動ズーム機能を有する。１７は投射レンズ４のズーム駆動を行うズーム用アクチュエータ（以下、ズームモータという）である。
【００４４】
これらのモータ１６，１７の制御は、ＣＰＵ等によって構成されるコントローラ９０により行われる。コントローラ９０には、前述したモードスイッチ７０と、ズームスイッチ８０が接続されている。
【００４５】
コントローラ９０は、使用者によるズームスイッチ８０の操作に応じてズームモータ１７を駆動し、投射レンズ４の電動ズームを行う。コントローラ９０は、１６：９モードにおいて投射レンズ４をテレ側からワイド側へズームする場合、開閉モータ１６を介して遮光部材１５のｙ方向の開口幅をズーム位置に応じて広げる方向に遮光板１５ａ，１５ｂを駆動する。
【００４６】
図１０は、コントローラ９０の動作を示すフローチャートである。ステップ（図にはＳと略記する）１において、コントローラ９０は、モードスイッチ７０を通じて入力されたモード、すなわち投射画像のアスペクト比（４：３か１６：９）を読み込む。
【００４７】
また、ステップ２，３において、ズームスイッチ８０の操作がなされた場合は、該操作に応じてズームモータ１７を駆動し、投射レンズ４の電動ズームを行う。
【００４８】
ここで、次のステップ４では、ステップ１で読み込んだモードが４：３か１６：９かを判別する。４：３の場合は、そのまま動作を終了する。一方、１６：９の場合は、ステップ５において、投射レンズ４のズームが終了した後又は該ズームに追従するように開閉モータ１６を駆動し、ズーム位置に対して予め不図示のメモリに記憶された上下方向位置に、遮光板１５ａ，１５ｂを移動させる。
【００４９】
本実施例によれば、１６：９モードにおいて、投射レンズ４のズームに対して遮光部材１５のｙ方向の開口幅が自動的に最適に設定される。
【実施例４】
【００５０】
図１１には、本発明の実施例４である液晶プロジェクタの構成を示している。本実施例では、実施例３にて説明した遮光部材１５を投射レンズ４の内部に配置した例を示す。なお、実施例３において説明したアクチュエータやコントローラ等の構成は、図示を省略している。
【００５１】
図１２には、遮光部材１５を投射レンズ４の内部に配置する場合の該遮光部材１５の位置を示している。Ｐは投射レンズ４の瞳の位置である。本実施例では、投射レンズ４の瞳位置を、図５および図６に示した照明光学系２における重畳系（コンデンサーレンズ２８およびシリンドリカルレンズ２９）について光源像と共役な関係の像が投射レンズ４内に形成される位置と定義する。
【００５２】
投射レンズ４には、該瞳位置Ｐよりも被投射面Ｓ側に複数のレンズエレメント４ａが配置されている。図１２には、該複数のレンズエレメント４ａとして２つのレンズエレメントを示しているが、実際にはこれよりも多くのレンズエレメントが設けられていてもよい。
【００５３】
そして、この複数のレンズエレメント４ａよりも被投射面Ｓ側に、遮光部材１５が配置されている。さらに、遮光部材１５よりも被投射面Ｓ側には、１又は複数のレンズエレメント４ｂが配置されている。
【００５４】
ここで、上記複数のレンズエレメント４ａの合成焦点距離は、投射レンズ４の全系の焦点距離ｆの３倍以下とするのが望ましい。すなわち、遮光部材１５の位置は、以下の条件を満足するのが望ましい。
・  投射レンズ４が、その瞳位置Ｐよりも被投射面Ｓ側において、該瞳に最も近いレンズエレメントを含み、合成焦点距離が投射レンズ４の焦点距離ｆの３倍以下となる複数のレンズエレメント４ａを有すること。
・  該複数のレンズエレメント４ａよりも被投射面Ｓ側であること。
【００５５】
上記の条件を言い換えると、投射レンズの瞳位置と遮光部材との間に配置された少なくとも１枚以上のレンズの焦点距離が、投射レンズ４の広角端（ワイド端）の焦点距離ｆの５倍以下、好ましくは３倍以下である。
【００５６】
これにより、投射レンズ４内に配置した遮光部材１５によって、液晶パネル３の黒表示範囲からの光の遮断効果を確実に得ることができる。
【００５７】
また、遮光部材１５を、瞳位置Ｐよりも被投射面Ｓ側であって、瞳位置Ｐとの間に少なくとも１つの屈折力のあるレンズエレメントが配置される位置に設けてもよい。
【００５８】
以上、本発明の好ましい実施例について説明したが、本発明はこれらの実施例に限定されず、請求項に記載した内容の範囲内で種々の変更が可能である。
【００５９】
例えば、上記各実施例では、反射型液晶パネルを用いたプロジェクタについて説明したが、本発明は、透過型液晶パネルやＤＭＤ（デジタルマイクロミラーデバイス）等の他の画像形成素子（光変調素子）を用いたプロジェクタにも適用することができる。
【００６０】
また、上記各実施例では、液晶パネルの短辺方向両側に黒表示領域を設定する場合について説明したが、本発明は、液晶パネルの長辺方向両側に黒表示領域を設定する場合にも適用することができる。この場合、液晶パネルへの照明光の長辺方向での入射角度分布が短辺方向よりも小さくなるようにしてもよい。
【図面の簡単な説明】
【００６１】
【図１】本発明の実施例１である液晶プロジェクタの概略構成図。
【図２】実施例１における照明光学系の瞳形状を示す正面図。
【図３】実施例１における投射レンズ側の光学系のｙｚ断面での概略構成図。
【図４】実施例１における被投射面上でのｙ方向の照度分布図。
【図５】実施例１の照明光学系のｘｚ断面図。
【図６】実施例１における照明系のｙｚ断面での光路説明図
【図７】実施例１の照明光学系内に用いられるレンズアレイの斜視図。
【図８】本発明の実施例２である遮光部材の正面図。
【図９】本発明の実施例３である液晶プロジェクタの概略構成図。
【図１０】実施例３における液晶プロジェクタの動作を示すフローチャート。
【図１１】本発明の実施例４である液晶プロジェクタの概略構成図。
【図１２】実施例４における投射レンズ内での遮光部材の位置を示す図。
【符号の説明】
【００６２】
１  光源
２  照明光学系
３  反射型液晶パネル
４  投射レンズ
５，１５  遮光部材
６  ４：３画像
７  １６：９画像
８  照明光学系の瞳
９  ４：３画像の短辺
１０  １６：９画像の短辺
１１，１２  １６：９画像の黒表示領域
２３，２４，２６，２７  シリンドリカルレンズアレイ
２５  圧縮光学系
２８  コンデンサーレンズ
２９  シリンドリカルレンズ
３０  色分解合成光学系
Ｐ  投射レンズの瞳位置
【図１】
2007212734.tif 000003
【図２】
2007212734.tif 000004
【図３】
2007212734.tif 000005
【図４】
2007212734.tif 000006
【図５】
2007212734.tif 000007
【図６】
2007212734.tif 000008
【図７】
2007212734.tif 000009
【図８】
2007212734.tif 000010
【図９】
2007212734.tif 000011
【図１０】
2007212734.tif 000012
【図１１】
2007212734.tif 000013
【図１２】
2007212734.tif 000014